(57)【要約】【課題】カメラ付玄関子機１００からの呼出、通話時に、テレビ受信装置１０又はビデオデッキ１１にカメラ付玄関子機からの映像を自動的に出画又は録画させる。【解決手段】テレビ受信装置又はビデオデッキからの映像出力信号を検出し、カメラ付玄関子機からの呼出、通話時に、映像出力信号が検出されたとき入力切替のための赤外線リモートコントロール信号を送出し、映像出力信号が検出されなかったときテレビ受信装置又はビデオデッキに電源を投入する赤外線リモートコントロール信号を送出してから入力切替のための赤外線リモートコントロール信号を送出するためのＣＰＵ２１６を備えている。【選択図】図１
2004289656.tif 000002
【特許請求の範囲】
【請求項１】
カメラ付玄関子機（１００）からモニター親機（２００）を呼出し、前記モニター親機で前記カメラ付玄関子機からの映像を見ながら前記カメラ付玄関子機と通話のできるテレビインターホン装置であって、
前記カメラ付玄関子機からの呼出、通話時に、前記モニター親機がテレビ受信装置（１０）又はビデオデッキ（１１）に対し赤外線リモートコントロール信号を送出し前記テレビ受信装置又は前記ビデオデッキに前記カメラ付玄関子機からの映像を出画又は録画させるにあたり、前記テレビ受信装置又は前記ビデオデッキからの映像出力信号を検出し、前記カメラ付玄関子機からの呼出、通話時に、前記映像出力信号が検出されたとき入力切替のための赤外線リモートコントロール信号を送出し、前記映像出力信号が検出されなかったとき前記テレビ受信装置又は前記ビデオデッキに電源を投入する赤外線リモートコントロール信号を送出してから入力切替のための赤外線リモートコントロール信号を送出するためのＣＰＵ（２１６）を備えたことを特徴とするテレビインターホン装置。
【請求項２】
前記赤外線リモートコントロール信号を送出するためのリモートコントローラ（１２）を備えたことを特徴とする請求項１記載のテレビインターホン装置。
【請求項３】
前記ＣＰＵは、前記映像出力信号を検出する映像信号検出回路（２２４）に接続されていることを特徴とする請求項１記載のテレビインターホン装置。
【発明の詳細な説明】
【０００１】
【発明の属する技術分野】
本発明はテレビンターホン装置に係わり、特に玄関に設置されたカメラ付玄関子機からの映像を屋内に設置されたモニター親機を介してテレビ受信装置あるいはビデオデッキに自動的に出画あるいは録画させるテレビインターホン装置に関する。
【０００２】
【従来の技術】
従来から、この種のテレビインターホン装置の一例として図２に示すようにカメラ付玄関子機３００とケーブルｂで接続されたモニター親機４００から構成されたテレビインターホン装置が知られている（例えば、特許文献１参照）。
【０００３】
カメラ付玄関子機３００は、カメラ回路３０１、ＦＭ変調回路３０２、不平衡・平衡変換回路３０３、ＬＰＦ（ローパスフィルタ）３０４、呼出ボタン３０５、起動電圧検出回路３０６、スピーカ３０７、スピーカアンプ３０８、マイク３０９、マイクアンプ３１０、２線・４線変換回路３１１を有する。
【０００４】
モニター親機４００は、平衡・不平衡変換回路４０１、ＦＭ復調回路４０２、ビデオアンプ４０３、ＣＲＴユニット４０４、出画制御回路４０５、２線・４線変換回路４０６、受話アンプ４０７、送話アンプ４０８、レシーバ４０９ａとマイク４０９ｂから構成される送受話器４０９、玄関子機起動電源送出回路４１０、呼出検出回路４１１、フックスイッチ４１２、ＣＰＵ４１３、呼出音アンプ４１４、拡声スピーカ４１５、電源回路４１６、映像信号出力端子４１７を有する。
【０００５】
このように構成されたテレビインターホン装置において、来訪者が呼出ボタン３０５を押すとＬＰＦ３０４、ケーブルｂを経由し呼出信号を呼出検出回路４１１で検出しＣＰＵ４１３にカメラ付玄関子機３００からの呼び出しを知らせる。
【０００６】
呼び出しを知らされたＣＰＵ４１３は玄関子機起動電源送出回路４１０を駆動させて電源回路４１６からのカメラ付玄関子機起動用の電圧をケーブルｂを通しカメラ付玄関子機３００へ送出する。
【０００７】
起動電圧検出回路３０６にてモニター親機４００からカメラ付玄関子機起動用の電圧が送出されたことを検出してカメラ回路３０１、ＦＭ変調回路３０２、スピーカアンプ３０８、マイクアンプ３１０へ電源を供給する。これによりカメラ回路３０１、ＦＭ変調回路３０２、不平衡・平衡変換回路３０３からケーブルｂを通しモニター親機４００にＦＭ映像信号を送出し、スピーカアンプ３０８、マイクアンプ３１０が働き通話を行える状態となる。
【０００８】
同時にモニター親機４００において、ＣＰＵ４１３は出画制御回路４０５を制御しＦＭ復調回路４０２、ビデオアンプ４０３、ＣＲＴユニット４０４を駆動させてカメラ付玄関子機３００から送出されてきたＦＭ映像信号を平衡・不平衡変換回路４０１、ＦＭ復調回路４０２、ビデオアンプ４０３を経由しＣＲＴユニット４０４に映像を出画させる。
【０００９】
また、ＣＰＵ４１３は呼出音アンプ４１４を駆動させてＣＰＵ４１３から出力させた呼出音を呼出音アンプ４１４で増幅し拡声スピーカ４１５から呼出音を鳴動させ来客があったことを居室内に知らせると共に、呼出音をケーブルｂを経由しＬＰＦ３０４、２線・４線変換回路３１１、スピーカアンプ３０８を通しスピーカ３０７からも呼出確認音として鳴動させて来訪者に呼び出しが行われたことを知らせる。呼出音鳴動後ＣＰＵ４１３は呼出音アンプ４１４を停止させる。
【００１０】
カメラ付玄関子機３００からの呼び出し後一定時間、出画制御回路４０５と玄関子機起動電源送出回路４１０を駆動させておきＣＲＴユニット４０４に映像を出画させたままとしておくことにより居室人がカメラ付玄関子機３００の呼び出しに応対しようとモニター親機４００前に来た時、映像を見て来訪者が誰であるのかを確認してから応対できるようにしている。
【００１１】
また、このとき送受話器４０９を取り上げるとフックスイッチ４１２がＣＰＵ４１３へ送受話器４０９が取り上げられたことを知らせ通話となる。
【００１２】
その後一定時間過ぎるか送受話器４０９を下ろしフックスイッチ４１２をオンフックさせるかによりＣＰＵ４１３は出画制御回路４０５と玄関子機起動電源送出回路４１０の制御を停止させてＦＭ復調回路４０２、ビデオアンプ４０３、ＣＲＴユニット４０４の動作を止めて映像を消画すると共に、カメラ付玄関子機３００への起動用の電圧送出も止めカメラ回路３０１、ＦＭ変調回路３０２、スピーカアンプ３０８、マイクアンプ３１０の動作を停止しインターホンシステムを待受状態とする。
【００１３】
以上の動作モードにおいてＣＲＴユニット４０４に映像が出画されているときは映像信号出力端子４１７からＮＴＳＣの映像信号が出力されていてカメラ付玄関子機３００からの映像を市販のテレビ受信装置あるいはビデオデッキを接続し出画させたり録画することができるようになっている。
【００１４】
【特許文献１】特開平１−２６８３４０号公報  （第３図）
【発明が解決しようとする課題】
このテレビインターホン装置においてはカメラ付玄関子機からの映像を汎用のテレビ受信装置あるいはビデオデッキを接続し出画させたり録画するにはその都度、手動で操作しなければならないという難点がある。
【００１５】
本発明は、このような難点を解決するためになされたもので、赤外線リモートコントロール信号を送出しテレビ受信装置あるいはビデオデッキにカメラ付玄関子機からの映像を自動的に出画あるいは録画させるテレビインターホン装置を提供することを目的とする。
【００１６】
【課題を解決するための手段】
この目的を達成するために本発明のテレビインターホン装置は、カメラ付玄関子機からモニター親機を呼出し、モニター親機でカメラ付玄関子機からの映像を見ながらカメラ付玄関子機と通話のできるテレビインターホン装置であって、カメラ付玄関子機からの呼出、通話時に、モニター親機がテレビ受信装置又はビデオデッキに対し赤外線リモートコントロール信号を送出しテレビ受信装置又はビデオデッキにカメラ付玄関子機からの映像を出画又は録画させるにあたり、テレビ受信装置又はビデオデッキからの映像出力信号を検出し、カメラ付玄関子機からの呼出、通話時に、映像出力信号が検出されたとき入力切替のための赤外線リモートコントロール信号を送出し、映像出力信号が検出されなかったときテレビ受信装置又はビデオデッキに電源を投入する赤外線リモートコントロール信号を送出してから入力切替のための赤外線リモートコントロール信号を送出するためのＣＰＵを備えている。
【００１７】
テレビインターホン装置は、赤外線リモートコントロール信号を送出するためのリモートコントローラを備えている。
【００１８】
このＣＰＵは、映像出力信号を検出する映像信号検出回路に接続されている。
【００１９】
このように構成されたテレビインターホン装置において、テレビ受信装置又はビデオデッキからの映像出力信号を検出し、カメラ付玄関子機からの呼出、通話時に、映像出力信号が検出されたとき入力切替のための赤外線リモートコントロール信号を送出し、映像出力信号が検出されなかったときテレビ受信装置又はビデオデッキに電源を投入する赤外線リモートコントロール信号を送出してから入力切替のための赤外線リモートコントロール信号を送出することにより、カメラ付玄関子機からの呼出、通話時に、テレビ受信装置又はビデオデッキに対し赤外線リモートコントロール信号を送出しテレビ受信装置又はビデオデッキにカメラ付玄関子機からの映像を自動的に出画又は録画させることができる。
【００２０】
【発明の実施の形態】
以下、本発明のテレビインターホン装置をその好ましい実施の形態について図面を参照して詳述する。
【００２１】
図１に示すように、本発明のテレビインターホン装置は、玄関に設置されたカメラ付玄関子機１００からケーブルａを経由して屋内に設置されたモニター親機２００を呼出し、モニター親機２００でカメラ付玄関子機１００からの映像を見ながらカメラ付玄関子機１００と通話のできる機能を有する。
【００２２】
カメラ付玄関子機１００は、カメラで来訪者を撮像しその映像信号を作成するカメラ回路１０１、映像信号を変調するＦＭ変調回路１０２、カメラ付玄関子機１００の不平衡回路とケーブルａの平衡回路間で不平衡・平衡変換する不平衡・平衡変換回路１０３、映像信号以外の通話の制御信号や音声信号を通過させるＬＰＦ（ローパスフィルタ）１０４、モニター親機２００を呼出すために押下操作される呼出ボタン１０６、モニター親機２００からのカメラ付玄関子機の起動用の電圧が送出されたことを検出する起動電圧検出回路１０７、モニター親機２００と通話を行なうためのスピーカ１０８、スピーカアンプ１０９、マイク１１０、マイクアンプ１１１、上記のスピーカ１０８、スピーカアンプ１０９、マイク１１０、マイクアンプ１１１とケーブルａ間の２線・４線変換を行なう２線・４線変換回路１１２を有する。
【００２３】
モニター親機２００は、モニター親機２００の不平衡回路とケーブルａの平衡回路間で平衡・不平衡変換する平衡・不平衡変換回路２０１、映像信号を復調するＦＭ復調回路２０２、映像信号を増幅するビデオアンプ２０３、映像信号を出画するＣＲＴユニット２０４、映像信号の出画を制御する出画制御回路２０５、カメラ付玄関子機１００と通話を行なうための受話アンプ２０７、送話アンプ２０８、レシーバ２０９ａとマイク２０９ｂから構成される送受話器２０９、上記の受話アンプ２０７、送話アンプ２０８、レシーバ２０９ａとマイク２０９ｂから構成される送受話器２０９とケーブルａ間の２線・４線変換を行なう２線・４線変換回路２０６、カメラ付玄関子機１００の起動用の電圧を送出する玄関子機起動電源送出回路２１０、カメラ付玄関子機１００からの呼出を検出する呼出検出回路２１２、呼出検出回路２１２により呼出検出されたとき呼出音を放音するための呼出音アンプ２１７、拡声スピーカ２１８、送受話器２０９の取り上げ（オフフック）／下げ戻し（オンフック）を検出するフックスイッチ２１３、モニター親機２００の出画時の制御信号を記憶させるリモートコントロール（リモコン）学習設定スイッチ２１４、モニター親機２００の消画時の制御信号を記憶させるリモートコントロール（リモコン）学習設定スイッチ２１５、これらのリモートコントロール（リモコン）学習設定を表示するリモートコントロール（リモコン）学習設定スイッチ表示灯２１９、テレビ受信装置１０又はビデオデッキ１１に対し赤外線リモートコントロール信号を送出する赤外線送出回路２２０、赤外線リモートコントロール信号を受信する赤外線受光回路２２１、映像信号を出力する映像信号出力端子２２３、テレビ受信装置１０若しくはビデオデッキ１１又はその双方を選択して動作させる設定を行なう動作設定スイッチ２２５、上記呼出検出回路２１２、フックスイッチ２１３、リモートコントロール（リモコン）学習設定スイッチ２１４、リモートコントロール（リモコン）学習設定スイッチ２１５、赤外線受光回路２２１、動作設定スイッチ２２５から制御信号を受信し、出画制御回路２０５、受話アンプ２０７、送話アンプ２０８、玄関子機起動電源送出回路２１０、呼出音アンプ２１７、リモートコントロール（リモコン）学習設定スイッチ表示灯２１９、赤外線送出回路２２０へ制御信号を送信するＣＰＵ２１６、各部へ電源を供給する電源回路２２２を有する。
【００２４】
ＣＰＵ２１６は、カメラ付玄関子機１００からの呼出、通話時に、モニター親機２００がテレビ受信装置１０又はビデオデッキ１１に対し赤外線リモートコントロール信号を送出しテレビ受信装置又はビデオデッキにカメラ付玄関子機１００からの映像を出画又は録画させるにあたり、テレビ受信装置１０又はビデオデッキ１１からの映像出力信号を検出し、カメラ付玄関子機１００からの呼出、通話時に、映像出力信号が検出されたとき入力切替のための赤外線リモートコントロール信号を送出し、映像出力信号が検出されなかったときテレビ受信装置１０又はビデオデッキ１１に電源を投入する赤外線リモートコントロール信号を送出してから入力切替のための赤外線リモートコントロール信号を送出する機能をもつように構成されている。
【００２５】
テレビインターホン装置は、赤外線リモートコントロール信号を送出するためのリモートコントローラ１２を備えている。
【００２６】
ＣＰＵ２１６は、テレビ受信装置１０又はビデオデッキ１１からの映像出力信号を検出する映像信号検出回路２２４に接続されている。
【００２７】
このように構成されたテレビインターホン装置において、カメラ付玄関子機１００からの映像を出画させたいテレビ受信装置１０あるいは録画させたいビデオデッキ１１の制御をモニター親機２００に予め記憶させる必要がある。
【００２８】
この制御をモニター親機２００に予め記憶させるために、例えばテレビ受信装置１０へ出画させるための制御手順としては、テレビ受信装置電源ＯＮ→映像信号入力を外部入力に切り替える→出画開始→出画停止→テレビ受信装置電源ＯＦＦとなる。
【００２９】
即ち、リモートコントローラ１２の操作によってテレビ受信装置１０の電源ＯＮ→テレビ受信装置１０の映像信号入力を外部入力（例えば、空きチャンネル）に切り替える→出画開始までを記憶させるためリモートコントロール学習設定スイッチ２１４を所定時間以上長押しする→ＣＰＵ２１６がリモートコントロール信号学習モードに入ったことを検出してリモートコントロール学習設定スイッチ表示灯２１９が点滅しリモートコントロール信号受信モードに入ったことを知らせる。
【００３０】
その後、リモートコントローラ１２の操作によって「テレビ受信装置電源ＯＮ」のリモートコントロール信号を赤外線受光回路２２１へ向けて送出するとリモートコントロール信号が赤外線受光回路２２１を経由してＣＰＵ２１６に入力させＣＰＵ２１６内のメモリーに記憶されるとリモートコントロール学習設定スイッチ表示灯２１９が点滅から点灯に変わりリモートコントロール信号を受信し、記憶したことを知らせる。
【００３１】
次に、リモートコントロール学習設定スイッチ２１４を押すとリモートコントロール学習設定スイッチ表示灯２１９が点灯から点滅に変わり次の信号の入力待ちとなるので、同様の手順で「映像信号入力を外部入力に切り替える」、「出画開始」の信号を記憶させる。
【００３２】
設定が完了したらリモートコントロール学習設定スイッチ２１４を所定時間以上長押しする。リモートコントロール学習設定スイッチ表示灯２１９が点灯から消灯しリモートコントロール信号学習モードを抜けたことを知らせる。
【００３３】
同様に、テレビ受信装置１０の消画時の制御は、「出画停止」、「テレビ受信装置電源ＯＦＦ」を記憶させるためリモートコントロール学習設定スイッチ２１５を長押しし、リモートコントロール信号学習モードへ入り同様に設定を行う。
【００３４】
なお、以上の記載でテレビ受信装置１０へ出画させるための学習設定について説明したが、ビデオデッキ１１へ録画させるための学習設定についても同様に行なうことができる。
【００３５】
以上の学習設定を行った後、来訪者が呼出ボタン１０６を押すとＬＰＦ１０４、ケーブルａを経由し呼出信号を呼出検出回路２１２で検出しモニター親機２００のＣＰＵ２１６にカメラ付玄関子機１００からの呼び出しを知らせる。
【００３６】
呼び出しを知らされたモニター親機２００のＣＰＵ２１６は玄関子機起動電源送出回路２１０を駆動させてカメラ付玄関子機１００の起動用の電圧をケーブルａを通しカメラ付玄関子機１００へ送出する。
【００３７】
カメラ付玄関子機１００は起動電圧検出回路１０７にてモニター親機２００からカメラ付玄関子機１００の起動用の電圧が送出されたことを検出してスピーカアンプ１０９、マイクアンプ１１１へ電源を供給する。これによりスピーカアンプ１０９、マイクアンプ１１１が働き通話を行える状態となる。
【００３８】
このとき、モニター親機２００において、テレビ受信装置１０で出画させるように動作設定スイッチ２２５で設定されている場合には、テレビ受信装置１０からの映像出力信号が映像信号検出回路２２４で検出されたときＣＰＵ２１６は赤外線送出回路２２０からテレビ受信装置１０に対し外部入力に切替のための赤外線リモートコントロール信号を送出し、またモニター親機２００の映像信号出力端子２２３からテレビ受信装置１０に映像信号を送出してテレビ受信装置１０に出画させる。
【００３９】
一方、テレビ受信装置１０からの映像出力信号が映像信号検出回路２２４で検出されなかったときＣＰＵ２１６は赤外線送出回路２２０からテレビ受信装置１０に電源を投入する赤外線リモートコントロール信号を送出した後、ＣＰＵ２１６は赤外線送出回路２２０からテレビ受信装置１０に対し外部入力に切替のための赤外線リモートコントロール信号を送出し、またモニター親機２００の映像信号出力端子２２３からテレビ受信装置１０に映像信号を送出してテレビ受信装置１０に出画をさせる。
【００４０】
モニター親機２００が終話し消画するときＣＰＵ２１６は、赤外線送出回路２２０からテレビ受信装置１０に対し出画停止→テレビ受信装置電源ＯＦＦの赤外線リモートコントロール信号を送出しテレビ受信装置１０の動作を終了させると共に映像信号出力端子２２３からテレビ受信装置１０への映像信号を送出することを停止させる。
【００４１】
また、モニター親機２００において、ビデオデッキ１１で録画させるように動作設定スイッチ２２５で設定されている場合には、ビデオデッキ１１からの映像出力信号が映像信号検出回路２２４で検出されたときＣＰＵ２１６は赤外線送出回路２２０からビデオデッキ１１に対し外部入力に切替のための赤外線リモートコントロール信号を送出し、またモニター親機２００の映像信号出力端子２２３からビデオデッキ１１に映像信号を送出してビデオデッキ１１で録画させる。
【００４２】
一方、ビデオデッキ１１からの映像出力信号が映像信号検出回路２２４で検出されなかったときＣＰＵ２１６は赤外線送出回路２２０からビデオデッキ１１に電源を投入する赤外線リモートコントロール信号を送出した後、ＣＰＵ２１６は赤外線送出回路２２０からビデオデッキ１１に対し外部入力に切替のための赤外線リモートコントロール信号を送出し、またモニター親機２００の映像信号出力端子２２３からビデオデッキ１１に映像信号を送出してビデオデッキ１１に録画をさせる。
【００４３】
モニター親機２００が終話し消画するときＣＰＵ２１６は、赤外線送出回路２２０からビデオデッキ１１に対し録画停止→テレビ受信装置電源ＯＦＦの赤外線リモートコントロール信号を送出しビデオデッキ１１の動作を終了させると共に映像信号出力端子２２３からビデオデッキ１１への映像信号を送出することを停止させる。
【００４４】
また、モニター親機２００において、テレビ受信装置１０で出画させるとともにビデオデッキ１１で録画させるように動作設定スイッチ２２５で設定されている場合には、上述したテレビ受信装置１０で出画させる動作、ビデオデッキ１１で録画させる動作の双方が行なわれる。
【００４５】
なお、テレビ受信装置１０がＯＮしている状態においても、カメラ付玄関子機１００からの出画が終了するとテレビ受信装置１０をＯＦＦさせることもできるが、通常テレビ受信装置１０をテレビとして利用している者にとって使い勝手が悪くなるので、その場合はテレビ受信装置１０をＯＦＦさせないようにすることもできる。
【００４６】
このように本発明のテレビインターホン装置では、テレビ受信装置１０又はビデオデッキ１１からの映像出力信号を検出し、カメラ付玄関子機１００からの呼出、通話時に、映像出力信号が検出されたとき入力切替のための赤外線リモートコントロール信号を送出し、映像出力信号が検出されなかったときテレビ受信装置１０又はビデオデッキ１１に電源を投入する赤外線リモートコントロール信号を送出してから入力切替のための赤外線リモートコントロール信号を送出することにより、カメラ付玄関子機１００からの呼出、通話時に、テレビ受信装置１０又はビデオデッキ１１に対し赤外線リモートコントロール信号を送出しテレビ受信装置１０又はビデオデッキ１１にカメラ付玄関子機１００からの映像を自動的に出画又は録画させることができる。
【００４７】
【発明の効果】
以上の説明から明らかなように、本発明のテレビインターホン装置によれば、赤外線リモートコントロール信号を送出してテレビ受信装置あるいはビデオデッキにカメラ付玄関子機からの映像を自動的に出画あるいは録画させることができる。
【図面の簡単な説明】
【図１】本発明のテレビインターホン装置の一実施形態を示すブロック図である。
【図２】従来のテレビインターホン装置のブロック図である。
【符号の説明】
１０・・・テレビ受信装置
１１・・・ビデオデッキ
１２・・・リモートコントローラ
１００・・・カメラ付玄関子機
２００・・・モニター親機
２１６・・・ＣＰＵ
２２４・・・映像信号検出回路
【図１】
2004289656.tif 000003
【図２】
2004289656.tif 000004